(57)【要約】【課題】冷却液体により効率的に光学素子を冷却しつつ、投影画像の画質を安定に確保できるプロジェクターを提供する。【解決手段】プロジェクター１は、冷却液体により光学素子を冷却する液冷装置４を備える。液冷装置４は、冷却液体を流入出可能に構成され、冷却液体と熱伝達可能に光学素子を保持する光学素子保持部５と、冷却液体を吸入及び圧送する液体圧送部６と、冷却液体を流入出可能に構成され、冷却液体を内部に一時的に蓄積するタンク７と、光学素子保持部５、液体圧送部６、及びタンク７を接続し、冷却液体を循環させるための流路Ｃを形成する複数の液体循環部材９とを備える。液体圧送部６、タンク７、及び光学素子保持部５は、流路Ｃを辿る冷却液体の流通方向に沿って、液体圧送部６、タンク７、及び光学素子保持部５の順に配設されている。【選択図】図２
2010224440.tif 000002
【特許請求の範囲】
【請求項１】
冷却液体により光学素子を冷却する液冷装置を備えたプロジェクターであって、
前記液冷装置は、
冷却液体を流入出可能に構成され、冷却液体と熱伝達可能に前記光学素子を保持する光学素子保持部と、
冷却液体を吸入及び圧送する液体圧送部と、
冷却液体を流入出可能に構成され、冷却液体を内部に一時的に蓄積する液体蓄積部と、
前記光学素子保持部、前記液体圧送部、及び前記液体蓄積部を接続し、冷却液体を循環させるための流路を形成する複数の液体循環部材とを備え、
前記液体圧送部、前記液体蓄積部、及び前記光学素子保持部は、
前記流路を辿る冷却液体の流通方向に沿って、前記液体圧送部、前記液体蓄積部、及び前記光学素子保持部の順に配設されている
ことを特徴とするプロジェクター。
【請求項２】
請求項１に記載のプロジェクターにおいて、
前記液体圧送部及び前記液体蓄積部は、
前記液体循環部材にて直接、接続されている
ことを特徴とするプロジェクター。
【請求項３】
請求項１または請求項２に記載のプロジェクターにおいて、
前記液冷装置は、
冷却液体を流入出可能に構成され、冷却液体と熱交換する熱交換部と、
吸熱面及び放熱面を有し、前記吸熱面が前記熱交換部に熱伝達可能に接続する熱電変換素子とを備え、
前記液体蓄積部、前記熱交換部、及び前記光学素子保持部は、
前記流通方向に沿って、前記液体蓄積部、前記熱交換部、及び前記光学素子保持部の順に配設されている
ことを特徴とするプロジェクター。
【請求項４】
請求項３に記載のプロジェクターにおいて、
前記熱交換部及び前記光学素子保持部は、
前記液体循環部材にて直接、接続されている
ことを特徴とするプロジェクター。
【請求項５】
請求項１から請求項４のいずれかに記載のプロジェクターにおいて、
前記光学素子保持部及び前記液体圧送部は、
前記液体循環部材にて直接、接続されている
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネル等の光学素子を効率的に冷却するために、冷却液体を用いて光学素子を冷却する構成が知られている（例えば、特許文献１参照）。
特許文献１に記載のプロジェクターは、冷却液体を流入出可能に構成され光学素子を保持する光学素子保持部と、冷却液体を強制的に循環させる液体圧送部と、これら各部材を接続し、冷却液体を循環させるための環状の流路を形成する複数の液体循環部材等を備える。そして、光学素子は、光学素子保持部を介して、環状の流路に沿って循環する冷却液体と熱交換することで冷却される。
【先行技術文献】
【特許文献】
【０００３】
【特許文献１】特開２００７−４１４１２号公報
【発明の概要】
【発明が解決しようとする課題】
【０００４】
ところで、液体圧送部としてはいわゆるポンプで構成されているため、冷却液体は、液体圧送部から所定の周波数で間欠的に圧送されることとなる。すなわち、液体圧送部から圧送された冷却液体には、脈動が生じるものである。
ここで、特許文献１に記載のプロジェクターでは、液体循環部材を介して、液体圧送部から圧送された冷却液体を直接、光学素子保持部に流入させている。言い換えれば、脈動している冷却液体を直接、光学素子保持部に流入させている。
このように脈動している冷却液体が光学素子保持部に流入した場合には、冷却液体の脈動が光学素子保持部や光学素子に伝播することとなるため、投影画像の画質を安定に確保することが難しい、という問題がある。
【０００５】
本発明の目的は、冷却液体により効率的に光学素子を冷却しつつ、投影画像の画質を安定に確保できるプロジェクターを提供することにある。
【課題を解決するための手段】
【０００６】
本発明のプロジェクターは、冷却液体により光学素子を冷却する液冷装置を備えたプロジェクターであって、前記液冷装置は、冷却液体を流入出可能に構成され、冷却液体と熱伝達可能に前記光学素子を保持する光学素子保持部と、冷却液体を吸入及び圧送する液体圧送部と、冷却液体を流入出可能に構成され、冷却液体を内部に一時的に蓄積する液体蓄積部と、前記光学素子保持部、前記液体圧送部、及び前記液体蓄積部を接続し、冷却液体を循環させるための流路を形成する複数の液体循環部材とを備え、前記液体圧送部、前記液体蓄積部、及び前記光学素子保持部は、前記流路を辿る冷却液体の流通方向に沿って、前記液体圧送部、前記液体蓄積部、及び前記光学素子保持部の順に配設されていることを特徴とする。
【０００７】
本発明では、液冷装置は、光学素子保持部及び液体圧送部の他、冷却液体を内部に一時的に蓄積する液体蓄積部を備える。そして、液体圧送部、液体蓄積部、及び光学素子保持部は、冷却液体の流通方向に沿って、液体圧送部、液体蓄積部、及び光学素子保持部の順に配設されている。このことにより、液体圧送部から圧送され、脈動している冷却液体を、一旦、液体蓄積部に蓄積できる。すなわち、液体蓄積部をバッファとして機能させ、冷却液体の脈動を液体蓄積部にて吸収し、脈動のない冷却液体を光学素子保持部に流入させることができる。
したがって、冷却液体の脈動が光学素子保持部や光学素子に伝播することがなく、投影画像の画質を安定に確保できる。
【０００８】
本発明のプロジェクターでは、前記液体圧送部及び前記液体蓄積部は、前記液体循環部材にて直接、接続されていることが好ましい。
ところで、液冷装置として、例えば、光学素子保持部、液体圧送部、及び液体蓄積部の他、後述する熱交換部等の他の部材を採用する。そして、前記他の部材を、液体圧送部及び液体蓄積部の間に配設する。このように構成した場合には、液体圧送部により生じた冷却液体の脈動が前記他の部材に伝播し、前記他の部材の機能を良好に維持することが難しい。
本発明では、液体圧送部及び液体蓄積部が液体循環部材にて直接、接続されているので、液体圧送部により生じた冷却液体の脈動を早い段階で抑えることができる。すなわち、液冷装置として、上述したように他の部材を採用した場合であっても、光学素子及び光学素子保持部の他、前記他の部材に冷却液体の脈動が伝播することを回避できる。このため、前記他の部材の機能を良好に維持できる。
【０００９】
本発明のプロジェクターでは、前記液冷装置は、冷却液体を流入出可能に構成され、冷却液体と熱交換する熱交換部と、吸熱面及び放熱面を有し、前記吸熱面が前記熱交換部に熱伝達可能に接続する熱電変換素子とを備え、前記液体蓄積部、前記熱交換部、及び前記光学素子保持部は、前記流通方向に沿って、前記液体蓄積部、前記熱交換部、及び前記光学素子保持部の順に配設されていることが好ましい。
本発明では、液冷装置が上述した熱交換部及び熱電変換素子を備えるので、熱電変換素子を駆動することで、熱交換部を冷却し、さらに、熱交換部に流入出する冷却液体を冷却できる。このため、温度の低い冷却液体を光学素子保持部に流通させることができるので、光学素子を効果的に冷却できる。
【００１０】
ところで、熱電変換素子の特性を考えると、吸熱面にて冷却する冷却液体（熱交換部）の温度が高い場合には、冷却液体の温度を効果的に低くする（例えば、雰囲気温度以下まで低くする）ことが難しいものである。
本発明では、液体蓄積部、熱交換部、及び光学素子保持部は、冷却液体の流通方向に沿って、液体蓄積部、熱交換部、及び光学素子保持部の順に配設されている。このことにより、光学素子保持部を流通する際に温められた冷却液体は、一旦、液体蓄積部に蓄積された後、熱電変換素子にて冷却されることとなる。すなわち、冷却液体を一旦、液体蓄積部に蓄積することで、冷却液体の熱を液体蓄積部内部で拡散させ、冷却液体の温度を低減させることができる。また、液体蓄積部にて温度の低減した冷却液体を熱電変換素子にて冷却することで、冷却液体の温度を効果的に低減させる（例えば、雰囲気温度以下まで低減させる）ことができる。したがって、効果的に温度が低減した冷却液体を光学素子保持部に流通させることで、光学素子をさらに効果的に冷却できる。
【００１１】
本発明のプロジェクターでは、前記熱交換部及び前記光学素子保持部は、前記液体循環部材にて直接、接続されていることが好ましい。
本発明では、熱交換部及び光学素子保持部が液体循環部材にて直接、接続されているので、熱電変換素子にて効果的に温度が低減した冷却液体を直接、光学素子保持部に流入させることができる。すなわち、熱電変換素子にて冷却された低い温度のままで、冷却液体を光学素子保持部に流入させることができるため、光学素子を一層効果的に冷却できる。
【００１２】
本発明のプロジェクターでは、前記光学素子保持部及び前記液体圧送部は、前記液体循環部材にて直接、接続されていることが好ましい。
ところで、液体圧送部としては、駆動時に熱が生じやすいものである。すなわち、冷却液体は、液体圧送部を流通する際に、液体圧送部により温められて温度が上昇しやすいものである。
本発明では、光学素子保持部及び液体圧送部が液体循環部材にて直接、接続されているので、冷却液体の流通方向に沿って見た場合に、光学素子保持部は、液体圧送部から最も離れた位置に配設されることとなる。このため、液体圧送部にて温められた高い温度のままで、冷却液体が光学素子保持部に流入することがなく、光学素子の冷却効率が低下することがない。
【図面の簡単な説明】
【００１３】
【図１】本実施形態におけるプロジェクターの概略構成を示す図。
【図２】本実施形態における液冷装置の構成を模式的に示す図。
【図３】本実施形態における光学素子保持部の構造を示す図。
【図４】本実施形態におけるタンクの構成を示す斜視図。
【図５】本実施形態における熱交換部の内部構造を模式的に示す断面図。
【発明を実施するための形態】
【００１４】
以下、本発明の実施の一形態を図面に基づいて説明する。
〔プロジェクターの構成〕
図１は、本実施形態におけるプロジェクター１の概略構成を示す図である。
プロジェクター１は、画像情報に応じた画像を形成してスクリーン（図示略）上に投射し、投影画像を表示する。このプロジェクター１は、図１に示すように、外装筐体２内部に光学ユニット３及び液冷装置４（図２参照）が収納された構成を有する。
【００１５】
〔光学ユニットの構成〕
光学ユニット３は、制御装置（図示略）による制御の下、画像情報に応じて画像を形成して投射する。
この光学ユニット３は、図１に示すように、一対の光源装置３１Ａ，３１Ｂと、反射ミラー３１Ｃと、レンズアレイ３２１，３２２、偏光変換素子３２３、及び重畳レンズ３２４を有する照明光学装置３２と、ダイクロイックミラー３３１，３３２、及び反射ミラー３３３〜３３６を有する色分離光学装置３３と、光変調素子としての３つの液晶パネル３４１（赤色光側の液晶パネルを３４１Ｒ、緑色光側の液晶パネルを３４１Ｇ、青色光側の液晶パネルを３４１Ｂとする）、３つの入射側偏光板３４２、３つの射出側偏光板３４３、及び色合成光学装置としてのクロスダイクロイックプリズム３４４を有する光学装置３４と、投射光学装置としての投射レンズ３５と、これら各部材３１Ａ，３１Ｂ、３２〜３４を内部に収納する光学部品用筐体３６とを備える。
【００１６】
ここで、一対の光源装置３１Ａ，３１Ｂは、図１に示すように、同様の構成を有し、光源ランプ３１１及びリフレクター３１２を備える。そして、一対の光源装置３１Ａ，３１Ｂは、反射ミラー３１Ｃに向けて光束を射出するように反射ミラー３１Ｃを挟んで対向配置されている。
そして、光学ユニット３では、上述した構成により、一対の光源装置３１Ａ，３１Ｂから射出された光束は、反射ミラー３１Ｃにより、光学部品用筐体３６内部に設定された照明光軸Ａｘ（図１）に沿って反射され、照明光学装置３２に照射される。照明光学装置３２に照射された光束は、照明光学装置３２にて面内照度が均一化されるとともに、色分離光学装置３３にてＲ，Ｇ，Ｂの３つの色光に分離される。分離された各色光は、各液晶パネル３４１にて画像情報に応じてそれぞれ変調され、色光毎の画像が形成される。色光毎の画像は、プリズム３４４にて合成され、投射レンズ３５にてスクリーン（図示略）に投射される。
【００１７】
〔液冷装置の構成〕
図２は、液冷装置４の構成を模式的に示す図である。
液冷装置４は、環状の流路に沿って水やエチレングリコール等の冷却液体を循環させ、該冷却液体により光学素子としての液晶パネル３４１を冷却する。この液冷装置４は、図２に示すように、３つの光学素子保持部５と、液体圧送部６と、液体蓄積部としてのタンク７と、熱交換ユニット８と、複数の液体循環部材９とを備える。
複数の液体循環部材９は、内部に冷却液体を流通可能とする管状部材で構成され、各部材５〜８を接続し、環状の流路を形成する。
なお、液体循環部材９による各部材５〜８の接続構造については、後述する。
【００１８】
〔光学素子保持部の構成〕
図３は、光学素子保持部５の構造を示す図である。具体的に、図３は、光学素子保持部５を光束入射側から見た平面図である。
３つの光学素子保持部５は、３つの液晶パネル３４１をそれぞれ保持するとともに、内部に冷却液体が流入出し、該冷却液体により３つの液晶パネル３４１をそれぞれ冷却する。なお、各光学素子保持部５は、同様の構成であり、以下では１つの光学素子保持部５のみを説明する。この光学素子保持部５は、図３に示すように、液体流通管５１と、光学素子支持枠５２とを備える。
【００１９】
液体流通管５１は、液晶パネル３４１の画像形成領域（光透過領域）を平面視で囲むように屈曲し、冷却液体を流入出させる各端部が上方側に平行して延出するように形成されている。
光学素子支持枠５２は、具体的な図示は省略したが、光束射出側において、液晶パネル３４１の外形形状に対応して光束入射側に向けて窪む凹部を有し、前記凹部にて液晶パネル３４１を収納保持する。
また、前記凹部の底部分には、図３に示すように、液晶パネル３４１の画像形成領域に対応した開口部５２１が形成されている。
さらに、光学素子支持枠５２には、具体的な図示は省略したが、前記凹部を囲むように貫通形成された平面視Ｕ字状の貫通孔が形成され、該貫通孔に液体流通管５１が配設されている。
なお、具体的な図示は省略したが、光学素子支持枠５２は、光束入射側及び光束射出側の２体に分割形成されており、該２体で液体流通管５１を挟持するように構成されている。
以上のように、光学素子保持部５は、液体流通管５１が液晶パネル３４１の側端部に対向するように配設され、液晶パネル３４１の熱を液晶パネル３４１〜光学素子支持枠５２〜液体流通管５１の熱伝達経路を辿って放熱させるように構成されている。
【００２０】
〔液体圧送部の構成〕
液体圧送部６は、冷却液体を吸入及び圧送するポンプであり、環状の流路に沿って冷却液体を循環させる。
この液体圧送部６は、例えば、中空部材内に羽根車が配置された構成を有し、前記羽根車が回転することで、冷却液体を吸入及び圧送する。
なお、液体圧送部６の構成としては、上述した羽根車を有する構成に限らず、ダイヤフラムを利用した他の構成を採用してもよい。
【００２１】
〔タンクの構成〕
図４は、タンク７の構成を示す斜視図である。
タンク７は、略直方体状の中空部材で構成され、流入した冷却液体を一時的に蓄積した後に流出する。
このタンク７において、上方側の端面には、図４に示すように、内部に連通し、タンク７に冷却液体を注入するための注入部７１が設けられている。
すなわち、液冷装置４を組み立てた後、注入部７１を介して冷却液体を注入することで、液冷装置４に冷却液体が充填されることとなる。
また、タンク７において、２つの側面部には、図４に示すように、内部に連通し、冷却液体を流入出するための流入部７２及び流出部７３が設けられている。
そして、上述したタンク７は、アルミニウム等の金属材料から構成されている。
【００２２】
〔熱交換ユニットの構成〕
熱交換ユニット８は、環状の流路に沿って流通する冷却液体の温度を低減する。この熱交換ユニット８は、図２に示すように、熱交換部８１と、区画板８２と、熱電変換素子としてのペルチェ素子８３と、放熱側伝熱部材８４とを備える。
図５は、熱交換部８１の内部構造を模式的に示す断面図である。具体的に、図５は、熱交換部８１を流路に直交する平面で切断した断面を示している。
熱交換部８１は、略直方体状の中空部材で構成され、内部を流通する冷却液体と熱交換する。
この熱交換部８１内部には、図５に示すように、冷却液体の流通方向に沿って延出する複数の板体８１１が該流通方向に直交する方向に並設されている。具体的に、これら板体８１１は、例えば、数１０μｍ〜数１００μｍ程度の厚み寸法を有し、互いに数１０μｍ〜数１００μｍ程度の間隔を空けて配設される。
以上の構成により、熱交換部８１内部には、各板体８１１間に冷却液体が流通する複数の微細流路Ｃｍ（図５）が形成される。すなわち、熱交換部８１は、いわゆる、マイクロチャンネル等の熱交換器で構成されている。
【００２３】
区画板８２は、平面視矩形状の板体で構成され、熱交換部８１及び放熱側伝熱部材８４を区画するとともに、熱交換部８１、ペルチェ素子８３、及び放熱側伝熱部材８４を一体化する。この区画板８２は、熱伝導率が低い（例えば、０．９Ｗ／（ｍ・Ｋ）以下）材料で構成されている。
この区画板８２には、図２に示すように、熱交換部８１の平面形状よりも小さい矩形形状を有し、ペルチェ素子８３を嵌合可能とする開口部８２１が形成されている。
そして、熱交換部８１は、区画板８２における一方の板面において、開口部８２１を閉塞するように開口部８２１周縁部分に固定される。
【００２４】
ペルチェ素子８３は、具体的な図示は省略したが、ｐ型半導体とｎ型半導体とを金属片で接合して構成した接合対を複数有しており、これら複数の接合対は電気的に直接に接続されている。
このような構成を有するペルチェ素子８３において、電力が供給されると、図２に示すように、ペルチェ素子８３の一方の端面が熱を吸収する吸熱面８３１となり、他方の端面が熱を放熱する放熱面８３２となる。
そして、ペルチェ素子８３は、区画板８２の開口部８２１に嵌合され、吸熱面８３１が熱交換部８１に熱伝達可能に接続する。
【００２５】
放熱側伝熱部材８４は、図２に示すように、矩形状の板体８４１と、板体８４１から突出する複数のフィン部材８４２とを有する、いわゆるヒートシンクで構成されている。そして、放熱側伝熱部材８４は、区画板８２の他方の板面において、開口部８２１を閉塞するように開口部８２１周縁部分に固定される。この状態では、放熱側伝熱部材８４は、ペルチェ素子８３の放熱面８３２に熱伝達可能に接続する。
すなわち、区画板８２にて各部材８１，８３，８４を一体化した状態では、熱交換部８１〜ペルチェ素子８３〜放熱側伝熱部材８４の熱伝達経路が形成される。
このため、ペルチェ素子８３の駆動により、熱交換部８１は、吸熱面８３１から熱が吸収され、冷却される。また、ペルチェ素子８３の放熱面８３２に生じる熱は、放熱側伝熱部材８４を介して外部に放熱される。
【００２６】
〔液体循環部材による接続構造〕
次に、液体循環部材９による各部材５〜８の接続構造について説明する。
なお、以下では、説明の便宜上、図２に示すように、３つの光学素子保持部５のうち、赤色光側の液晶パネル３４１Ｒを保持する光学素子保持部を赤色光変調素子保持部５Ｒ、緑色光側の液晶パネル３４１Ｇを保持する光学素子保持部を緑色光変調素子保持部５Ｇ、青色光側の液晶パネル３４１Ｂを保持する光学素子保持部を青色光変調素子保持部５Ｂとする。
液体循環部材９は、図２に示すように、第１〜第６液体循環部材９Ａ〜９Ｆの６本で構成されている。
具体的に、第１液体循環部材９Ａは、流入側及び流出側が赤色光変調素子保持部５Ｒ及び緑色光変調素子保持部５Ｇにおける各液体流通管５１の一方の端部にそれぞれ接続される。
第２液体循環部材９Ｂは、流入側が緑色光変調素子保持部５Ｇにおける液体流通管５１の他方の端部に接続され、流出側が青色光変調素子保持部５Ｂにおける液体流通管５１の一方の端部に接続される。
【００２７】
第３液体循環部材９Ｃは、流入側が青色光変調素子保持部５Ｂにおける液体流通管５１の他方の端部に接続され、流出側が液体圧送部６に接続される。
第４液体循環部材９Ｄは、流入側及び流出側が液体圧送部６及びタンク７における流入部７２にそれぞれ接続される。
第５液体循環部材９Ｅは、流入側及び流出側がタンク７における流出部７３及び熱交換部８１にそれぞれ接続される。
第６液体循環部材９Ｆは、流入側及び流出側が熱交換部８１及び赤色光変調素子保持部５Ｒにおける液体流通管５１の他方の端部に接続される。
【００２８】
以上のような液体循環部材９による接続構造により、赤色光変調素子保持部５Ｒ〜緑色光変調素子保持部５Ｇ〜青色光変調素子保持部５Ｂ〜液体圧送部６〜タンク７〜熱交換部８１を辿り、再度、赤色光変調素子保持部５Ｒに戻る環状の流路Ｃが形成される。
そして、上述した液冷装置４により、以下に示すように液晶パネル３４１が冷却される。
すなわち、液晶パネル３４１にて生じた熱は、光学素子保持部５を介して冷却液体に伝達される。
光学素子保持部５から流出した冷却液体は、流路Ｃを辿って熱交換部８１に流入する。
ここで、熱交換部８１は、ペルチェ素子８３の駆動により、吸熱面８３１から熱が吸収されることで冷却されている。このため、熱交換部８１に流入した冷却液体は、内部の微細流路Ｃｍを流通する際、熱交換部８１との間で熱交換が行われ、冷却される。
そして、熱交換部８１にて冷却された冷却液体は、再度、光学素子保持部５に流入する。
【００２９】
上述した本実施形態においては、以下の効果がある。
本実施形態では、液冷装置４は、光学素子保持部５及び液体圧送部６の他、冷却液体を内部に一時的に蓄積するタンク７を備える。そして、液体圧送部６、タンク７、及び光学素子保持部５は、冷却液体の流通方向に沿って、液体圧送部６、タンク７、及び光学素子保持部５の順に配設されている。このことにより、液体圧送部６から圧送され、脈動している冷却液体を、一旦、タンク７に蓄積できる。すなわち、タンク７をバッファとして機能させ、冷却液体の脈動をタンク７にて吸収し、脈動のない冷却液体を光学素子保持部５に流入させることができる。
したがって、冷却液体の脈動が光学素子保持部５や液晶パネル３４１に伝播することがなく、投影画像の画質を安定に確保できる。
【００３０】
また、液体圧送部６及びタンク７が第４液体循環部材９Ｄにて直接、接続されているので、液体圧送部６により生じた冷却液体の脈動を早い段階で抑えることができる。すなわち、液冷装置４として、光学素子保持部５、液体圧送部６、及びタンク７の他、熱交換ユニット８を採用した場合であっても、光学素子保持部５及び液晶パネル３４１の他、熱交換ユニット８に冷却液体の脈動が伝播することを回避できる。このため、熱交換ユニット８の機能を良好に維持できる。
【００３１】
さらに、液冷装置４は熱交換ユニット８を備えるので、ペルチェ素子８３を駆動することで、熱交換部８１を冷却し、さらに、熱交換部８１に流入出する冷却液体を冷却できる。このため、温度の低い冷却液体を光学素子保持部５に流通させることができるので、液晶パネル３４１を効果的に冷却できる。
ここで、熱交換部８１は、内部に複数の微細流路Ｃｍを有するいわゆるマイクロチャンネル等の熱交換器で構成されている。すなわち、冷却液体と熱交換部８１との熱交換効率を向上させることができ、熱交換部８１に流入出する冷却液体を効果的に冷却できる。
【００３２】
また、タンク７、熱交換部８１、及び光学素子保持部５は、冷却液体の流通方向に沿って、タンク７、熱交換部８１、及び光学素子保持部５の順に配設されている。このことにより、光学素子保持部５を流通する際に温められた冷却液体は、一旦、タンク７に蓄積された後、熱交換ユニット８（ペルチェ素子８３）にて冷却されることとなる。すなわち、冷却液体を一旦、タンク７に蓄積することで、冷却液体の熱をタンク７内部で拡散させ、冷却液体の温度を低減させることができる。また、タンク７にて温度の低減した冷却液体を熱交換ユニット８（ペルチェ素子８３）にて冷却することで、冷却液体の温度を効果的に低減させる（例えば、雰囲気温度以下まで低減させる）ことができる。したがって、効果的に温度が低減した冷却液体を光学素子保持部５に流通させることで、液晶パネル３４１をさらに効果的に冷却できる。
ここで、タンク７が金属製材料から構成されているので、タンク７内部に拡散された熱をタンク７外部に効果的に放熱できる。すなわち、タンク７に冷却液体が一時的に蓄積されることで、冷却液体の温度がより低減することとなる。
【００３３】
さらに、熱交換部８１及び光学素子保持部５が第６液体循環部材９Ｆにて直接、接続されているので、熱交換ユニット８にて効果的に温度が低減した冷却液体を直接、光学素子保持部５に流入させることができる。すなわち、熱交換ユニット８にて冷却された低い温度のままで、冷却液体を光学素子保持部５に流入させることができるため、液晶パネル３４１をより一層効果的に冷却できる。
【００３４】
また、光学素子保持部５及び液体圧送部６が第３液体循環部材９Ｃにて直接、接続されているので、冷却液体の流通方向に沿って見た場合に、光学素子保持部５は、液体圧送部６から最も離れた位置に配設されることとなる。このため、液体圧送部６自体の発熱により液体圧送部６にて温められた高い温度のままで、冷却液体が光学素子保持部５に流入することがなく、液晶パネル３４１の冷却効率が低下することがない。
また、液体圧送部６にて温められた冷却液体は、上述したように、一旦、タンク７に蓄積されることで温度が低減するので、高い温度のままで熱交換部８１に流入することもない。
【００３５】
なお、本発明は前述の実施形態に限定されるものではなく、本発明の目的を達成できる範囲での変形、改良等は本発明に含まれるものである。
前記実施形態において、冷却対象である光学素子として、液晶パネル３４１を採用していたが、これに限らず、光源装置３１Ａ，３１Ｂ、偏光変換素子３２３、入射側偏光板３４２、射出側偏光板３４３等の他の光学素子を冷却対象としても構わない。
【００３６】
前記実施形態は、各光学素子保持部５は、冷却液体の流通方向に沿って、赤色光変調素子保持部５Ｒ、緑色光変調素子保持部５Ｇ、青色光変調素子保持部５Ｂの順に、第１〜第３液体循環部材９Ａ，９Ｂにて直列に接続されていたが、この接続順序は、これに限らず、他の接続順序で接続しても構わない。
前記実施形態では、各光学素子保持部５を直列に接続していたが、これに限らず、各光学素子保持部５を並列に接続する構成としても構わない。すなわち、例えば、冷却液体の流通方向に沿って赤色光変調素子保持部５Ｒ及び青色光変調素子保持部５Ｂを直列に接続するとともに、赤色光変調素子保持部５Ｒ及び青色光変調素子保持部５Ｂと緑色光変調素子保持部５Ｇとを並列に接続しても構わない。
【００３７】
前記実施形態では、液晶パネル３４１は、３つ設けられていたが、その数は３つに限らず、１つ、２つ、あるいは、４つ以上であっても構わない。
前記実施形態において、光変調素子としては、透過型または反射型の液晶パネルの他、マイクロミラーを用いたデバイス等、液晶以外の光変調素子を採用しても構わない。
前記実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００３８】
本発明のプロジェクターは、冷却液体により効率的に光学素子を冷却しつつ、投影画像の画質を安定に確保できるため、プレゼンテーションやホームシアターに用いられるプロジェクターとして利用できる。
【符号の説明】
【００３９】
１・・・プロジェクター、４・・・液冷装置、５・・・光学素子保持部、６・・・液体圧送部、７・・・タンク（液体蓄積部）、９・・・液体循環部材、８１・・・熱交換部、８３・・・ペルチェ素子（熱電変換素子）、Ｃ・・・流路。
【図１】
2010224440.tif 000003
【図２】
2010224440.tif 000004
【図３】
2010224440.tif 000005
【図４】
2010224440.tif 000006
【図５】
2010224440.tif 000007
【手続補正書】
【提出日】平成22年4月28日(2010.4.28)
【手続補正１】
【補正対象書類名】明細書
【補正対象項目名】００３６
【補正方法】変更
【補正の内容】
【００３６】
前記実施形態は、各光学素子保持部５は、冷却液体の流通方向に沿って、赤色光変調素子保持部５Ｒ、緑色光変調素子保持部５Ｇ、青色光変調素子保持部５Ｂの順に、第１，第２液体循環部材９Ａ，９Ｂにて直列に接続されていたが、この接続順序は、これに限らず、他の接続順序で接続しても構わない。
前記実施形態では、各光学素子保持部５を直列に接続していたが、これに限らず、各光学素子保持部５を並列に接続する構成としても構わない。すなわち、例えば、冷却液体の流通方向に沿って赤色光変調素子保持部５Ｒ及び青色光変調素子保持部５Ｂを直列に接続するとともに、赤色光変調素子保持部５Ｒ及び青色光変調素子保持部５Ｂと緑色光変調素子保持部５Ｇとを並列に接続しても構わない。